(57)【要約】【課題】装着者に対して十分に警報を伝えることができる警報装備を提供すること。【解決手段】警報装備は、誘導器１と複数のチョッキ２、４、６とを有し、誘導器１には、チョッキ２、４、６に対して警報信号を送信する誘導器側送信部１Ａと、チョッキ２、４、６からの応答信号を受信する誘導器側受信部１Ｂとを備え、複数のチョッキ２、４、６には、誘導器側送信部１Ａからの警報信号を受信するチョッキ側受信部２１と、チョッキ側受信部２１で受信した信号によって発光部４０を発光させる制御部２６と、チョッキ側受信部２１及び発光部４０に電力を供給する電源部２３と、発光部４０での発光停止指示を検出する停止検出部２５とを備え、一つのチョッキ２には、誘導器側受信部１Ｂに対して応答信号を送信するチョッキ側送信部２２を有することを特徴とする。【選択図】        図１
2007257170.tif 000002
【特許請求の範囲】
【請求項１】
誘導器と複数のチョッキとを有する警報装備であって、
前記誘導器には、
前記チョッキに対して警報信号を送信する誘導器側送信部と、
前記チョッキからの応答信号を受信する誘導器側受信部とを備え、
複数の前記チョッキには、
前記誘導器側送信部からの警報信号を受信するチョッキ側受信部と、
前記チョッキ側受信部で受信した信号によって発光部を発光させる制御部と、
前記チョッキ側受信部及び前記発光部に電力を供給する電源部と、
前記発光部での発光停止指示を検出する停止検出部とを備え、
一つの前記チョッキには、前記誘導器側受信部に対して応答信号を送信するチョッキ側送信部を有することを特徴とする警報装備。
【請求項２】
複数のヘルメットを有し、
複数の前記ヘルメットには、
前記誘導器側送信部からの警報信号を受信するヘルメット側受信部と、
前記ヘルメット側受信部で受信した信号によって発光部を発光させる制御部と、
前記ヘルメット側受信部及び前記発光部に電力を供給する電源部と、
前記発光部での発光停止指示を検出する停止検出部とを備えたことを特徴とする請求項１に記載の警報装備。
【請求項３】
複数の前記チョッキには、
振動を発生させるバイブレーターと、
音を発生させる音源部とを備え、
前記制御部によって前記バイブレーターと前記音源部を動作させることを特徴とする請求項１に記載の警報装備。
【請求項４】
複数の前記ヘルメットには、
振動を発生させるバイブレーターと、
音を発生させる音源部とを備え、
前記制御部によって前記バイブレーターと前記音源部を動作させることを特徴とする請求項２に記載の警報装備。
【請求項５】
前記発光部に代えて、振動を発生させるバイブレーター、又は音を発生させる音源部としたことを特徴とする請求項１又は請求項２に記載の警報装備。
【請求項６】
前記電源部の放電状態を検出する電源検出部を備え、
前記制御部では、前記電源検出部で検出した状態に応じて前記発光部を発光させることを特徴とする請求項１又は請求項２に記載の警報装備。
【請求項７】
前記停止検出部として衝撃を検出する衝撃検出部を用い、前記衝撃検出部で衝撃を検出すると、前記制御部によって前記誘導器側受信部に対して応答信号を送信することを特徴とする請求項１又は請求項２に記載の警報装備。
【請求項８】
前記衝撃検出部で衝撃を検出すると、前記制御部によって前記バイブレーターでの動作を停止することを特徴とする請求項７に記載の警報装備。
【請求項９】
前記衝撃検出部で衝撃を検出すると、前記制御部によって前記音源部での動作を停止することを特徴とする請求項７に記載の警報装備。
【請求項１０】
誘導器とチョッキとを有する警報装備であって、
前記誘導器には、
前記チョッキに対して警報信号を送信する誘導器側送信部と、
前記チョッキからの応答信号を受信する誘導器側受信部とを備え、
前記チョッキには、
前記誘導器側送信部からの警報信号を受信するチョッキ側受信部と、
前記チョッキ側受信部で受信した信号によって発光部を発光させる制御部と、
前記チョッキ側受信部及び前記発光部に電力を供給する電源部と、
前記発光部での発光停止指示を検出する停止検出部と、
前記誘導器側受信部に対して応答信号を送信するチョッキ側送信部とを備えたことを特徴とする警報装備。
【発明の詳細な説明】
【技術分野】
【０００１】
本発明は、特に工事用として用いられる誘導器と複数のチョッキとを有する警報装備に関する。
【背景技術】
【０００２】
道路工事や線路工事は夜間に行われることが多く、監視者が監視し、この監視者から作業者に対して車両の侵入状況を伝達することで作業の安全を図っている。
一般的には、誘導灯や無線機を用いることが多いが、誘導灯に無線機を一体に設けることで監視者の負担を軽減し、安全性を高めるものが提案されている（特許文献１）。
また、誘導灯にあって、発光部の発光色を変更することで状況の変化を知らせるとともに、通信機能を持たせて一方の誘導灯からの操作によって他方の誘導灯の発光状況を変更することも提案されている（特許文献２）。
【特許文献１】特開平１０−３２１００２号公報
【特許文献２】特開平１１−６６９２４号公報
【発明の開示】
【発明が解決しようとする課題】
【０００３】
しかし、これら誘導灯による警報は、特に工事現場の作業者にとっては必ずしも十分な伝達機能を持たず、近年においても事故が後を絶たない状況にある。
【０００４】
そこで本発明は、装着者に対して十分に警報を伝えることができる警報装備を提供することを目的とする。
【課題を解決するための手段】
【０００５】
請求項１記載の本発明の警報装備は、誘導器と複数のチョッキとを有する警報装備であって、前記誘導器には、前記チョッキに対して警報信号を送信する誘導器側送信部と、前記チョッキからの応答信号を受信する誘導器側受信部とを備え、複数の前記チョッキには、前記誘導器側送信部からの警報信号を受信するチョッキ側受信部と、前記チョッキ側受信部で受信した信号によって発光部を発光させる制御部と、前記チョッキ側受信部及び前記発光部に電力を供給する電源部と、前記発光部での発光停止指示を検出する停止検出部とを備え、一つの前記チョッキには、前記誘導器側受信部に対して応答信号を送信するチョッキ側送信部を有することを特徴とする。
請求項２記載の本発明は請求項１に記載の警報装備において、複数のヘルメットを有し、複数の前記ヘルメットには、前記誘導器側送信部からの警報信号を受信するヘルメット側受信部と、前記ヘルメット側受信部で受信した信号によって発光部を発光させる制御部と、前記ヘルメット側受信部及び前記発光部に電力を供給する電源部と、前記発光部での発光停止指示を検出する停止検出部とを備えたことを特徴とする。
請求項３記載の本発明は請求項１に記載の警報装備において、複数の前記チョッキには、振動を発生させるバイブレーターと、音を発生させる音源部とを備え、前記制御部によって前記バイブレーターと前記音源部を動作させることを特徴とする
請求項４記載の本発明は請求項２に記載の警報装備において、複数の前記ヘルメットには、振動を発生させるバイブレーターと、音を発生させる音源部とを備え、前記制御部によって前記バイブレーターと前記音源部を動作させることを特徴とする。
請求項５記載の本発明は請求項１又は請求項２に記載の警報装備において、前記発光部に代えて、振動を発生させるバイブレーター、又は音を発生させる音源部としたことを特徴とする。
請求項６記載の本発明は請求項１又は請求項２に記載の警報装備において、前記電源部の放電状態を検出する電源検出部を備え、前記制御部では、前記電源検出部で検出した状態に応じて前記発光部を発光させることを特徴とする。
請求項７記載の本発明は請求項１又は請求項２に記載の警報装備において、前記停止検出部として衝撃を検出する衝撃検出部を用い、前記衝撃検出部で衝撃を検出すると、前記制御部によって前記誘導器側受信部に対して応答信号を送信することを特徴とする。
請求項８記載の本発明は請求項７に記載の警報装備において、前記衝撃検出部で衝撃を検出すると、前記制御部によって前記バイブレーターでの動作を停止することを特徴とする。
請求項９記載の本発明は請求項７に記載の警報装備において、前記衝撃検出部で衝撃を検出すると、前記制御部によって前記音源部での動作を停止することを特徴とする。
請求項１０記載の本発明の警報装備は、誘導器とチョッキとを有する警報装備であって、前記誘導器には、前記チョッキに対して警報信号を送信する誘導器側送信部と、前記チョッキからの応答信号を受信する誘導器側受信部とを備え、前記チョッキには、前記誘導器側送信部からの警報信号を受信するチョッキ側受信部と、前記チョッキ側受信部で受信した信号によって発光部を発光させる制御部と、前記チョッキ側受信部及び前記発光部に電力を供給する電源部と、前記発光部での発光停止指示を検出する停止検出部と、前記誘導器側受信部に対して応答信号を送信するチョッキ側送信部とを備えたことを特徴とする。
【発明の効果】
【０００６】
本発明によれば、誘導器からそれぞれのチョッキ装着者に対して、警報を発することができるとともに、応答信号の送信は一人のリーダから行うようにしたことで、現場での混乱を防ぎ、確実な警報の伝達を行うことができる。
【発明を実施するための最良の形態】
【０００７】
本発明の第１の実施の形態による警報装備は、誘導器には、チョッキに対して警報信号を送信する誘導器側送信部と、チョッキからの応答信号を受信する誘導器側受信部とを備え、複数のチョッキには、誘導器側送信部からの警報信号を受信するチョッキ側受信部と、チョッキ側受信部で受信した信号によって発光部を発光させる制御部と、チョッキ側受信部及び発光部に電力を供給する電源部と、発光部での発光停止指示を検出する停止検出部とを備え、一つのチョッキには、誘導器側受信部に対して応答信号を送信するチョッキ側送信部を有するものである。本実施の形態によれば、誘導器からそれぞれのチョッキ装着者に対して、警報を発することができるとともに、応答信号の送信は一人のリーダから行うようにしたことで、現場での混乱を防ぎ、確実な警報の伝達を行うことができる。
本発明の第２の実施の形態は、第１の実施の形態による警報装備において、複数のヘルメットを有し、複数のヘルメットには、誘導器側送信部からの警報信号を受信するヘルメット側受信部と、ヘルメット側受信部で受信した信号によって発光部を発光させる制御部と、ヘルメット側受信部及び発光部に電力を供給する電源部と、発光部での発光停止指示を検出する停止検出部とを備えたものである。本実施の形態によれば、チョッキとは独立した受信部を備えたヘルメットも備えることで、確実に装着者に警報を発することができる。
本発明の第３の実施の形態は、第１の実施の形態による警報装備において、複数のチョッキには、振動を発生させるバイブレーターと、音を発生させる音源部とを備え、制御部によってバイブレーターと音源部を動作させるものである。本実施の形態によれば、発光だけでなく、振動及び音によって装着者に警報を発することで、工事現場の各種の環境によっても確実な警報の伝達を行うことができる。
本発明の第４の実施の形態は、第２の実施の形態による警報装備において、複数のヘルメットには、振動を発生させるバイブレーターと、音を発生させる音源部とを備え、制御部によってバイブレーターと音源部を動作させるものである。本実施の形態によれば、発光だけでなく、振動及び音によって装着者に警報を発することで、工事現場の各種の環境によっても確実な警報の伝達を行うことができる。
本発明の第５の実施の形態は、第１又は第２の実施の形態による警報装備において、発光部に代えて、振動を発生させるバイブレーター、又は音を発生させる音源部としたものである。本実施の形態によれば、発光の代わりに、振動又は音によって装着者に警報を発することで、工事現場の環境に応じた警報の伝達を行うことができる。
本発明の第６の実施の形態は、第１又は第２の実施の形態による警報装備において、電源部の放電状態を検出する電源検出部を備え、制御部では、電源検出部で検出した状態に応じて発光部を発光させるものである。本実施の形態によれば、電源での放電状態を装着者が認識できるので、充電切れなどの不測の状況を回避することができる。
本発明の第７の実施の形態は、第１又は第２の実施の形態による警報装備において、停止検出部として衝撃を検出する衝撃検出部を用い、衝撃検出部で衝撃を検出すると、制御部によって誘導器側受信部に対して応答信号を送信するものである。本実施の形態によれば、装着者からの信号を遠隔者に伝えることができるため、例えば外部からの警報を装着者が認識した場合に、衝撃検出部を叩くことで応答信号を送信することができる。
本発明の第８の実施の形態は、第７の実施の形態による警報装備において、衝撃検出部で衝撃を検出すると、制御部によってバイブレーターでの動作を停止するものである。本実施の形態によれば、遠隔操作によって行われた警報を認識した場合に、衝撃検出部を叩くことで停止することができる。
本発明の第９の実施の形態は、第７の実施の形態による警報装備において、衝撃検出部で衝撃を検出すると、制御部によって音源部での動作を停止するものである。本実施の形態によれば、遠隔操作によって行われた警報を認識した場合に、衝撃検出部を叩くことで停止することができる。
本発明の第１０の実施の形態による警報装備は、誘導器には、チョッキに対して警報信号を送信する誘導器側送信部と、チョッキからの応答信号を受信する誘導器側受信部とを備え、チョッキには、誘導器側送信部からの警報信号を受信するチョッキ側受信部と、チョッキ側受信部で受信した信号によって発光部を発光させる制御部と、チョッキ側受信部及び発光部に電力を供給する電源部と、発光部での発光停止指示を検出する停止検出部と、誘導器側受信部に対して応答信号を送信するチョッキ側送信部とを備えたものである。本実施の形態によれば、誘導器からそれぞれのチョッキ装着者に対して、警報を発することができるとともに、応答信号の送信を送信者に返信することで、確実な警報の伝達を行うことができる。
【実施例】
【０００８】
以下本発明の実施例について図面とともに詳細に説明する。
図１は本発明の一実施例による警報装備の概念図である。
図に示すように、本実施例の警報装備は、誘導器１と複数のチョッキ２、４、６と複数のヘルメット３、５、７から構成される。
誘導器１には、拡声機能などの誘導機能の他に、警報信号を送信する誘導器側送信部１Ａと、応答信号を受信する誘導器側受信部１Ｂと、誘導器側送信部１Ａからの送信を指示する入力部１Ｃと、誘導器側送信部１Ａからの送信状態や誘導器側受信部１Ｂでの受信状態を表示する表示部１Ｄを備えている。なお、図１では誘導器１として拡声器を示しているが、蛍光機能や発光機能を備えた誘導灯であってもよい。
誘導器１において、入力部１Ｃから警報の入力がなされると、誘導器側送信部１Ａから警報信号が送信される。この誘導器側送信部１Ａからの警報信号は、それぞれのチョッキ２、４、６及びそれぞれのヘルメット３、５、７において、独立に受信する。リーダ用の一つのチョッキ２には、応答信号を送信する送信機能を備えている。チョッキ２からの応答信号は、誘導器１の誘導側受信部１Ｂにおいて受信される。また、誘導器１の表示部１Ｄでは、警報信号を送信した場合には、警報発信状態を発光表示し、応答信号の受信によってこの発光を消灯する。
【０００９】
図２は同実施例によるチョッキを示す正面図、図３は同チョッキの斜視図である。
同チョッキは、外面側に反射テープ８と発光部４０を有するとともに、内面側には、送受信機能、電源機能、及び制御機能を備えた第１の筐体２０と、振動や音によって警報を発する機能を備えた第２の筐体３０とを設けている。ここで、第２の筐体３０は襟首側に設けている。なお、発光部４０は、反射テープ８に沿って配置されている。ここで発光部４０としては発光ダイオードが適している。
第１の筐体２０と第２の筐体３０とは配線で接続され、第１の筐体２０と発光部４０も配線で接続されている。
【００１０】
図４は同実施例による警報装備のリーダ用チョッキの機能ブロック図、図５は同リーダ用チョッキの動作フロー図である。
図４に示すように、第１の筐体２０内には、誘導器側送信部１Ａからの信号を受信するチョッキ側受信部２１と、誘導器側受信部１Ｂに対して信号を送信するチョッキ側送信部２２と、電力を供給する電源部２３と、電源部２３の放電状態を検出する電源検出部２４と、衝撃を検出する衝撃検出部２５と、チョッキ側受信部２１からの信号を入力し、チョッキ側送信部２２に対して信号を出力する制御部２６を備えている。また、第２の筐体３０内には、振動を発生させるバイブレーター３１と、音を発生させる音源部３２とを備えている。なお、本実施例では衝撃検出部２５を停止検出部として説明するが、単なるスイッチでもよい。発光部４０、バイブレーター３１、及び音源部３２は、制御部２６によって制御される。また、電源検出部２４及び衝撃検出部２５からの信号は制御部２６に入力される。
【００１１】
上記構成による動作について以下に説明する。
図５に示すように、スイッチがオンされると発光部４０が発光することでスイッチがオン状態であることを出力する（ステップ１）。
制御部２６では、チョッキ側受信部２１によって警報情報を受信したか否かを常に監視し（ステップ２）、警報情報を受信していない場合には、電源部２３の充電状態が十分か否かを監視する（ステップ３）。電源部２３の充電状態が十分であると判断した場合にはステップ２に戻って警報情報を監視する。ステップ３において、電源検出部２４が電源部２３の充電量が所定値以下になったことを検出すると制御部２６によって放電警告を行う（ステップ４）。ここで放電警告は、例えば発光部４０での発光を点滅発光に変更するか、消灯することで行う。発光部４０での消灯警告によれば、放電量を最小限に抑えることができるため、消灯後においてもステップ２における警報情報の監視を継続できるという効果がある。なお、発光部４０での発光状態の変更とともに、バイブレーター３１で振動を行うか、音源部３２で音を出力してもよい。また、発光部４０での発光状態の変更を行う代わりに、バイブレーター３１で振動を行うか、音源部３２で音を出力してもよい。発光部４０での発光状態の変更とともに、バイブレーター３１の振動と音源部３２での音の出力を全て行うことで放電警告を確実に行わせることができる。
【００１２】
ステップ２において、警報情報を受信した場合には警報動作を行う（ステップ５）。警報動作は、発光部４０での発光状態の変更とともに、バイブレーター３１の振動と音源部３２での音の出力を行うことが好ましい。なお、タイマー機能を備えることで、警報動作のスタート時から時間の経過によってこれらの警報情報に変化を持たせることが更に好ましい。例えば、警報動作のスタートから第１の時間帯には、発光部４０での発光状態の変更を行い、その後にバイブレーター３１の振動と音源部３２での音の出力を行う。このように警報動作のスタート時から時間の経過によってこれらの警報情報に変化を持たせることで、装着者が危険状況を把握することができる。
ステップ５の状態で、制御部２６は衝撃検出部２５での衝撃検出の有無を監視する（ステップ６）。衝撃検出部２５からの信号を検出しない場合にはステップ５に戻って警報動作を継続する。装着者が衝撃検出部２５を叩くことによって衝撃検出部２５からの信号を制御部２６が検出すると、警報動作を停止し（ステップ７）、送信部２６から信号を送信し、装着者が警報を認識したことを遠隔者に対して知らせる（ステップ８）。なお、ステップ８における応答信号を送信した後には、ステップ２に戻って警報監視を行う。
【００１３】
次に、リーダ用のチョッキ２以外のチョッキ４、６の機能について説明する。
チョッキ４、６については、リーダ用のチョッキ２と異なり送信部２２を備えていない。従って、図５における動作では、ステップ７における警報動作の停止の後には、ステップ８における応答送信を行うことなく、ステップ２に戻って警報監視を行う。
ヘルメット３、５、７についても、チョッキ４、６と同様に、リーダ用のチョッキ２と異なり送信部２２を備えていない。
【００１４】
以上のように本実施例によれば、誘導器１からそれぞれのチョッキ２、４、６に対して、警報を発することができるとともに、応答信号の送信はリーダ用のチョッキ２から行うようにしたことで、現場での混乱を防ぎ、確実な警報の伝達を行うことができる。
また本実施例によれば、チョッキ２、４、６とは独立した受信部を備えたヘルメット３、５、７も備えることで、確実に装着者に警報を発することができる。
また本実施例によれば、制御部２６によって発光部４０の発光状態を変更し、バイブレーター３１と音源部３２を動作させることで、工事現場の各種の環境によっても確実な警報の伝達を行うことができる。
また本実施例によれば、電源部２３の放電状態を電源検出部２４で検出して発光部４０を発光させることで、電源部２３での放電状態を装着者が認識できるので、充電切れなどの不測の状況を回避することができる。
また本実施例によれば、衝撃検出部２５での衝撃検出によってチョッキ側送信部２２から信号を送信することで、装着者からの信号を遠隔者に伝えることができる。
【００１５】
なお、電源部２３は、充電機能を備えた二次電池であることが好ましいが、外部電源と接続されたものであってもよい。
また、上記実施例では、衝撃検出部２５からの信号を制御部２６が検出すると警報動作を停止する場合で説明したが、あらかじめ定めた所定時間（例えば５秒）は必ず警報動作を行わせ、その後警報動作を停止するように構成することも有効である。すなわち、あらかじめ定めた所定時間以内に衝撃検出部２５からの信号を制御部２６が検出した場合であっても、所定時間経過後に警報動作を停止する。このように、所定時間は確実に警報動作を行わせることで、例えばヘルメット装着者が首を振ったとかでヘルメットが振動した場合などの誤動作によって衝撃検出部２５が働いた場合であっても確実に警告が行われることで、安全性を高めることができる。
また、工事用現場ではリーダが現場や時間帯によって変更される場合が多いことを想定して、上記実施例では、お互いに共有しやすいチョッキ２にリーダ用の送信部を設けた場合を説明したが、常にリーダが決まっている場合には、個人使用に適したヘルメット３、５、７のいずれかにリーダ用の送信部を設けてもよい。
また、上記実施例では、複数のチョッキ２、４、６の中で一つのチョッキ２については、誘導器側受信部１Ｂに対して応答信号を送信するチョッキ側送信部２２を有するものを説明したが、誘導器１とチョッキ２とがセットになった警報装備であっても、確実な警報の伝達を行うことができる。
また、上記実施例では、停止検出部を衝撃検出部２５として説明したが、押圧によるスイッチであってもよく、押圧によるスイッチの場合には、手袋指で押すことができ、また手のひらで叩くことができるような押圧部の直径が1.5センチメートル以上の大型スイッチとすることが好ましい。
【産業上の利用可能性】
【００１６】
本発明の警報装備は、建築作業や土木作業などの工事現場における警報装備の他に、火災や地震などの震災時における警報装備として利用することができる。
【図面の簡単な説明】
【００１７】
【図１】本発明の一実施例による警報装備の概念図
【図２】同実施例によるチョッキを示す正面図
【図３】同チョッキの斜視図
【図４】同実施例による警報装備のリーダ用チョッキの機能ブロック図
【図５】同リーダ用チョッキの動作フロー図
【符号の説明】
【００１８】
１    誘導器
１Ａ  誘導器側送信部
１Ｂ  誘導器側受信部
２、４、６  チョッキ
３、５、７  ヘルメット
２１    チョッキ側受信部
２２    チョッキ側送信部
２３    電源部
２４    電源検出部
２５    衝撃検出部（停止検出部）
２６    制御部
３１    バイブレーター
３２    音源部
４０    発光部
【図１】
2007257170.tif 000003
【図２】
2007257170.tif 000004
【図３】
2007257170.tif 000005
【図４】
2007257170.tif 000006
【図５】
2007257170.tif 000007